(57)【特許請求の範囲】
【請求項１】
本体ケース１の内部にテープリール２がケース底壁３に開口した駆動軸挿入孔４上に位置して可回転に収納されており、
テープリール２は下面中央にハブ穴１７を有し、上面中央に突起１４を有しており、
下面に受け座８を有するリール押え部材６を備えており、
このリール押え部材６は、これの受け座８がテープリール２の前記突起１４の先端で支えられることにより、該突起１４を支点にしてシーソー揺動可能であり、
リール押え部材６の上面のばね受座１０と、これの上方に対向する本体ケース１の上壁１２の内面に設けたばね押え座１５との間には、リール押圧用の圧縮コイルばね５が介在しており、
テープリール２に巻かれたテープ１９は、本体ケース１の前面外方へ引き出し可能にしてあるテープカートリッジにおいて、
ばね押え座１５には圧縮コイルばね軸線Ｐより前側領域に、後側領域よりもケース内に突出する高台部２２が設けられており、
ばね押え座１５に接する圧縮コイルばね５の端末部５ａを上向きに屈曲形成してあり、
該端末部５ａが、ばね押え座１５の前記高台部２２に設けた穴２３に係合しており、
ばね押え座１５とばね受座１０との間で、前記突起１４に作用する圧縮コイルばね５の押圧力Ｆの分力Ｆ′がテープリール２を常に本体ケース１の後面方向に移動付勢させるよう働いていることを特徴とするテープカートリッジ。  
【発明の詳細な説明】
【０００１】
【発明の属する技術分野】
本発明は、テープリールを押し下げ付勢するばね手段に改良を加えたテープカートリッジに関する。
【０００２】
【従来の技術】
図４および図５は従来のビデオ用テープカートリッジを示しており、本体ケース１の内部に一対のテープリール２をケース底壁３の左右に開口した各駆動軸挿入孔４上に位置させて可回転に収納し、各テープリール２の中心を圧縮コイルばね５およびリール押え部材６で下方に押圧付勢している。リール押え部材６の上面中央には支持軸７を上向きに突設し、この支持軸７まわりに環状のばね受座１０を凹設し、リール押え部材６の下面中央に凹曲面形状の受け座８を設けてある。支持軸７は上端に拡縮変形自在な割溝９と逆止爪１１とを有する。本体ケース１の上壁１２に設けた貫通孔１３に、支持軸７をケース内方側から貫通状に圧入する。これでリール押え部材６は、上下動自在にかつ下方へは抜け止め状に垂設され、受け座８がテープリール２の上面中央の突起１４の先端でシーソー揺動可能に支えられる。そして圧縮コイルばね５は、リール押え部材６の水平なばね受座１０と、これの上方に対向する上壁１２の貫通孔１３まわりの水平なばね押え座１５との間にはさみ込み装着されていた。
【０００３】
かかるテープカートリッジをＶＴＲに装填すると、ＶＴＲ側の爪１６ａ付きリール駆動軸１６がテープリール２の係合リブ１７ａ付きハブ穴１７に挿入係合して、該リール２を回転駆動する。このとき各テープリール２は、圧縮コイルばね５とリール押え部材６とによる押し下げ付勢力を受けることで、上下振動することなく回転する。またＶＴＲ側のテープローディング機構により、テープリール２に巻き付けられているテープ１９は、本体ケース１の前面１Ｆより外部へ引き出され、ＶＴＲ側のヘッドシリンダ２０に案内される。
【０００４】
【発明が解決しようとする課題】
しかるに、圧縮コイルばね５の装着スペース、すなわちリール押え部材６のばね受座１０とケース上壁１２のばね押え座１５との間の距離は極めて僅小であり、圧縮コイルばね５に所定の初期ばね圧を設定付与するためには、スペース上の制約でばね線の巻数や線径に限界がある。その為に、とくにばね押え座１５と接触する圧縮コイルばね５の上端に座巻部を設けるなどの特殊な細工をすることができない。
【０００５】
その一方で、テープリール２の遊動回転や外部衝撃を受けて、圧縮コイルばね５に回転ズレが生じる。回転ズレは圧縮コイルばね５の上端がばね押え座１５上でばね軸線に対して周方向に又は径方向に位置ズレする現象である。このような回転ズレは、当初の設定ばね圧の許容値を外れたものとなり、テープリール２の回転性能の確保およびガタ止めの点で好ましくない。
【０００６】
また、ＶＴＲ側のリール駆動軸１６は、テープリール２のハブ穴１７に対し、本来の中心位置（図４に示すごとくリール駆動軸１６とハブ穴１７と間に一定のクリアランスαを形成する位置）より、図６（ａ）に示すごとく前方へ僅かにβ量だけ偏位して挿入されることがある。こうした場合、リール押え部材６の前端側が浮き上がるように傾斜し、この傾斜に伴い圧縮コイルばね５の突起１４に作用する押圧力Ｆの分力Ｆ′が本体ケース１の前面１Ｆ方向に作用する。すると、図６（ｂ）に示すごとくテープローディング機構により加えられた比較的強いテープテンションＴと、前記分力Ｆ′の作用とにより、テープリール２が本体ケース１の前方に大きい力で押し動かされ勝手になって回転する。このため、テープリール２が、図６（ａ）・（ｂ）に示すごとく、ハブ穴１７とリール駆動軸１６との間のクリアランスαで１回転する間に前方に偏ったり、後方に戻ったりしてテープリール２の回転およびテープ走行が不安定になり、そのときにゴトゴトと騒音を発生する現象を招いていた。とくに左右横長の本体ケース１を左右方向が上下向きになる縦形使用の場合に、上記の不具合が顕著に生じていた。
【０００７】
そこで本発明の目的は、かかる従来の不具合を解消し、テープリールの回転性能の安定化とテープ走行性能の向上とを図れるテープカートリッジを提供するにある。
【０００８】
【課題を解決するための手段】
本発明が前提とするテープカートリッジは、図４および図５に示すごとく本体ケース１の内部にテープリール２がケース底壁３に開口した駆動軸挿入孔４上に位置して可回転に収納されている。テープリール２は下面中央にハブ穴１７を有し、上面中央に突起１４を有する。下面に受け座８を有するリール押え部材６を備えており、このリール押え部材６は、前記受け座８がテープリール２の前記突起１４の先端で支えられることにより、突起１４を支点にしてシーソー揺動可能である。リール押え部材６の上面のばね受座１０と、これの上方に対向する本体ケース１の上壁１２の内面に設けたばね押え座１５との間には、リール押圧用の圧縮コイルばね５が介在しており、テープリール２に巻かれたテープ１５は本体ケース１の前面１Ｆの外方へ引き出し可能にしたものである。
【０００９】
そのうえで本発明は、図１ないし図３に示すごとく、ばね押え座１５に接する圧縮コイルばね５の端末部５ａを上向きに屈曲形成し、この端末部５ａをばね押え座１５に設けた穴２３に係合させたことを特徴とする。更に、ばね押え座１５とばね受座１０との間に、前記突起１４に作用する圧縮コイルばね５の押圧力Ｆの分力Ｆ′がテープリール２を常に本体ケース１の後面方向に移動付勢するよう働くリール付勢手段を設ける。
【００１０】
そのリール付勢手段としては、前記ばね押え座１５の圧縮コイルばね軸線Ｐより前側領域に、後側領域よりもケース内に突出する高台部２２を設けることによって、リール押え部材６に対して、圧縮コイルばね５の荷重が前後均等にかからず、後側よりも前側で少し強くかかるように設定する。そのうえで高台部２２に、前記端末部５ａが係合する穴２３を設ける。
【００１１】
【作用】
その際、圧縮コイルばね５の上端部が単にばね押え座１５上に押圧接当しているだけの従来形態では、テープリール２の回転力がリール押え部材６を介して圧縮コイルばね５に作用したり、落下衝撃が圧縮コイルばね５に加わることにより、ばね押え座１５に対して圧縮コイルばね５が回転ズレを起こす。この点、本発明の圧縮コイルばね５の端末部５ａをばね押え座１５に設けた穴２３に係合してあるので、圧縮コイルばね５がテープリール２の回転力や外部衝撃などを受けても、回転ズレを起こすことが無く、常に所定のばね圧でテープリール２を押圧付勢し、テープリールの回転性能を確保する。
【００１２】
突起１４に作用する圧縮コイルばね５の押圧力Ｆの分力Ｆ′がテープリール２を常に本体ケース１の後面方向に移動付勢するよう働いているので、テープカートリッジをＶＴＲに装填したとき、図６（ａ）に示すごとくリール駆動軸１６が、テープリール２のハブ穴１７の中心位置より前方に僅かに偏位して挿入することがあっても、リール押え部材６が本体ケース１の後方に向けて下り傾斜状に傾くのを規制できる。このためテープローディング時にテープリール２が前方に押し動かされることがない。圧縮コイルばね５に回転ズレが生じないので、該ばね５が常にテープリール２を本体ケース１の後面方向に移動付勢するという機能を安定よく発揮し続ける。
【００１３】
【発明の実施の形態】
本発明に係るテープカートリッジの一実施例を図１ないし図３に基づき説明すると、これの基本形態は前述した図４および図５の従来例と実質的に同一仕様であるため、同一部材には同一符号を付してその説明を省略し、それとは異なるテープリール押し下げ付勢手段についてのみ説明する。
【００１４】
本体ケース１の上壁１２の内面１２ａに設けられるばね押え座１５は、圧縮コイルばね軸線Ｐより前側領域の一部分の高さ（ケース内方への突出高さ）が後側領域よりも高くなるよう、その後側領域から前側領域に少し侵入する箇所にわたって優弧状の凹溝２１を設け、この凹溝２１の一端２１ａと他端２１ｂとの間に、凹溝２１の内底よりもケース内に突出する高台部２２を劣弧状に設ける。従ってこの高台部２２は、ばね押え座１５の圧縮コイルばね軸線Ｐより前側領域に位置し、上壁１２の内面１２ａと面一である。その高台部２２には圧縮コイルばね５の回転ズレを防止するための穴２３を設ける。かくして、圧縮コイルばね５の端末部５ａを上向きに屈曲し、この端末部５ａを前記穴２３に挿入固定して、圧縮コイルばね５をばね押え座１５とリール押え部材６の上面の水平なばね受座１０との間に介在するようはさみ込み装着する。
【００１５】
ばね受座１０とばね押え座１５との間にはさみ込まれた圧縮コイルばね５は、高台部２２とばね受座１０との間で生じるばね圧が、凹溝２１の内底とばね受座１０との間で生じるばね圧よりも強く発揮する。この結果、突起１４に作用する圧縮コイルばね５の押圧力Ｆの分力Ｆ′が、テープリール２を常に本体ケース１の後面１Ｂ方向に移動付勢することになる。穴２３は、高台部２２の左右方向中央付近から凹溝２１の一端２１ａ寄りの位置に設けて、これに端末部５ａを挿入固定すると、圧縮コイルばね５の高台部２２とばね受座１０との間で強いばね圧を安定的にかつ確実に作用させるうえで好ましい。
【００１６】
上記構成によれば、ＶＴＲ側のリール駆動軸１６が、テープリール２のハブ穴１７の中心位置より前方に僅かに偏位して挿入された場合でも、リール押え部材６の前端側が浮き上がるように傾斜するのを規制できる。このためテープローディング時にテープリール２が前方に押し動かされ勝手にならず、テープリール２は安定良く回転する。
【００１７】
テープリール２の回転力がリール押え部材６を介して圧縮コイルばね５に作用したり、落下衝撃が圧縮コイルばね５に加わっても、圧縮コイルばね５の端末部５ａをばね押え座１５の穴２３に係合してあるので、圧縮コイルばね５が回転ズレを起こすことがなく、前記分力Ｆ′による作用を常に安定よく発揮する。
【００１８】
リール押え部材６は、本体ケース１の上壁１２に設けた貫通孔１３に支持軸７を介して上下動自在に、かつ下方へは抜け止め状に垂設すると、組み立ての容易化を図れるが、支持軸７を備えないリール押え部材６を採用し、テープリール２の突起１４の先端でリール押え部材６の受け座８を支えるだけでもよい。
【００１９】
【発明の効果】
本発明によれば、外部衝撃などが加えられても、圧縮コイルばね５は回転ズレを起こすことがなく、テープリール２を適正なばね圧で押圧付勢してテープリール２の回転性能を確保する。また、圧縮コイルばね５の突起１４に作用する押圧力Ｆの分力Ｆ′でテープリール２を常に本体ケース１の後面方向に移動付勢できるので、テープリール２の回転性能およびテープ走行性能を向上できる。常に前記動作を安定よく発揮し、信頼性に優れる。
【図面の簡単な説明】
【図１】実施例を示す要部の拡大縦断側面図である。
【図２】実施例を示す要部の縦断側面図である。
【図３】図１に示す圧縮コイルばねおよびばね押え座の斜視図である。
【図４】従来例を説明する概略平面図である。
【図５】従来例の要部の縦断側面図である。
【図６】（ａ）・（ｂ）は図４に示す従来例の不具合な状態を説明する縦断側面図である。
【符号の説明】
１  本体ケース
２  テープリール
３  ケース底壁
４  駆動軸挿入孔
５  圧縮コイルばね
６  リール押え部材
８  受け座
１０  ばね受座
１２  上壁
１４  突起
１５  ばね押え座
１７  ハブ穴
１９  テープ
２２  高台部
２３  穴
【図１】
0003670465.tif 000002
【図２】
0003670465.tif 000003
【図３】
0003670465.tif 000004
【図４】
0003670465.tif 000005
【図５】
0003670465.tif 000006
【図６】
0003670465.tif 000007